(57)【要約】【課題】円形状の孔を有する一の部材の当該孔に対して、円形状の他の部材を嵌め合う嵌合構造において、がたつきを減らして、同心とする位置決めの精度を向上させる。【解決手段】円形状の孔Ｈを有する部材５と、部材５の孔に内接させて嵌合する円形状の部材２と、を備えており、部材５と部材２を同心に位置決めする嵌合構造であって、部材５と部材２が接する円環状の嵌合部位において、部材５及び部材２のいずれか一方に、少なくとも４以上の位置決めリブ３それぞれを、位置決めの中心Ｏに対して非対称な位置に配置する。【選択図】図２
2008095854.tif 000002
【特許請求の範囲】
【請求項１】
円形状の孔を有する第１部材と、前記第１部材の孔に嵌合する円形状の第２部材と、を備えており、前記第１部材と前記第２部材を同心に位置決めする嵌合構造であって、
前記第１部材と前記第２部材が嵌合する円環状の嵌合部位において、前記第１部材及び前記第２部材のいずれか一方に、少なくとも４以上のリブを、前記位置決めの中心に対して非対称な位置に配置して、備えたことを特徴とする嵌合構造。
【請求項２】
前記リブを５以上備え、隣り合ったリブと前記中心とのなす角を鋭角とすることを特徴とする請求項１記載の嵌合構造。
【発明の詳細な説明】
【技術分野】
【０００１】
本発明は、２つの部材を嵌め合う嵌合構造に関する。
【背景技術】
【０００２】
円形状の孔を有する一の部材の当該孔に対して、円形状の他の部材を内接させて嵌合する方法、すなわち、２つの部材を同心状に位置決めして、嵌め合う嵌合方法としては、２つの部材の接触点を３点にして（円は幾何学上、３点で位置決めされるため）、一の部材の孔の円周上に３箇所のリブを等間隔で配置する方法が知られている。
【０００３】
図１はこのような嵌合部材の平面図を示している。部材１は円形状の孔Ｈを備えた板状の部材であり、部材２は、部材１の孔Ｈに嵌合する円形の部材である。位置決めリブ３は、部材１の孔Ｈの内周面上に形成された突起状の補強部位であり、１２０度間隔で３箇所に配置されている。この位置決めリブ３を設けることにより、部材２は部材１の孔Ｈに位置決めされ、固定されるようになっている。
【発明の開示】
【発明が解決しようとする課題】
【０００４】
上述した嵌合構造においては、２つの部材間に隙間がないのが理想であるが、通常、量産する部材の場合には、公差による寸法のばらつきがあるため、２つの部材間には隙間が生じるように、各部材のサイズを設計する。このため、３点で位置決めする嵌合方法においては、図１に示す嵌合構造１０のように、嵌め合う部材間に隙間が生じ、嵌合部材の同心ずれが生じやすいという問題がある。なお、図１に示す嵌合構造１０においては、実線で示された部材２は、その中心Ｏ１が孔Ｈの中心Ｏからずれて位置決めされ、固定された状態を示している（一方、破線で示された部材２は、その中心Ｏ１が孔Ｈの中心Ｏに位置づけられた理想的な状態を示している）。
【０００５】
本発明は、上記の問題を解決するためになされたものであり、その課題の一例としては、円形状の孔を有する一の部材の当該孔に対して、円形状の他の部材を嵌め合う嵌合構造において、がたつきを減らして、同心とする位置決めの精度を向上させることができる嵌合構造を提供することにある。
【課題を解決するための手段】
【０００６】
上記の課題を達成するため、請求項１記載の嵌合構造は、円形状の孔を有する第１部材と、前記第１部材の孔に嵌合する円形状の第２部材と、を備えており、前記第１部材と前記第２部材を同心に位置決めする嵌合構造であって、前記第１部材と前記第２部材が嵌合する円環状の嵌合部位において、前記第１部材及び前記第２部材のいずれか一方に、少なくとも４以上のリブを、前記位置決めの中心に対して非対称な位置に配置して、備えたことを特徴とする。
【発明を実施するための最良の形態】
【０００７】
以下、本発明の実施の形態を図面を用いて説明する。
【０００８】
図２は、本発明の実施の形態に係る嵌合構造２０の平面図であり、嵌合前の２部材の外観、及び嵌合後の２部材の外観を示している。
【０００９】
嵌合構造２０は、図２に示すように、円形状の孔Ｈを備えた板状の部材５と、孔Ｈに内接して嵌合する、円形状の部材２と、を備えている。なお、部材の寸法公差を考慮して、部材２と孔Ｈとの間には隙間が生じるように各部材は形成されている。
【００１０】
部材５は、孔Ｈの内周面に、円周上に渡って略均等に多点（本実施の形態においては、４以上を意味する；図２においては、９）の突起状の位置決めリブ３を備えており、複数の位置決めリブ３が部材２の外周面と接して、部材２と固定されるようになっている。このため、部材２と部材５間に隙間が生じる構成であっても、特定の一方向に過度にずれることはない（過度にずれる以前に、部材２の外周面は、円周上に渡って略均等に配置されたいずれかの位置決めリブ３と接触する）。従って、嵌合構造２０は、２部材間の嵌め合いガタを減らして、固定することができるとともに、２部材間の同心ずれを減らすことができる構造となっている。
【００１１】
また、部材５は、多点の位置決めリブ３を、孔Ｈの中心に対して非対称な位置に配置しているので（孔Ｈの中心Ｏを通る直径上には、２つの位置決めリブ３が配置されることはない）、これによっても、２部材間の同心ずれを減らすことができる。すなわち、本実施の形態における略均等には、位置決めリブ３が円周上のいずれかの方向に偏って配置されることは勿論、孔Ｈの中心に対して対称な位置に２つの位置決めリブ３が配置されることも除外されるものである。これは、孔Ｈの中心Ｏを通る直径上に２つの位置決めリブ３を配置すると、この２つ位置決めリブ３によって、部材２の位置を固定してしまい、部材２の中心Ｏ１が孔の中心Ｏからずれて位置決めされてしまうため、多点の位置決めリブ３を孔Ｈの中心に対して非対称な位置に配置するものである。
【００１２】
また、本実施の形態においては、位置決めリブ３の数を４以上としたが、さらに好ましくは、５以上にして、隣接する位置決めリブ３と孔Ｈの中心Ｏとのなす角度を鋭角にするのがよい。隣接する位置決めリブ３と孔Ｈの中心Ｏとのなす角度を鋭角にすることにより、特定の一方向へのずれをさらに抑えることができるからである。
【００１３】
さらには、位置決めリブ３の頂部（部材２と接触する部位）は、部材２の外周面と点接触するような形状に形成されているのが好ましい。１つの位置決めリブ３と部材２との接触部分は小さくても、多点の位置決めリブ３を円周上に配置することにより、接触部分を円周上に略均等に多数設けることができるので、これによって、嵌め合いガタの減少、及び同心ずれの減少に寄与し得るからである。
【００１４】
また、本実施の形態においては、多点の位置決めリブ３を円周上に渡って配置する構成なので、個々の位置決めリブ３の大きさを小さくしても、嵌め合いガタを抑制することができる。すなわち、位置決めリブ３の大きさが小さい部材５に対しても、適用は可能である。
【００１５】
図３は、本実施の形態に係る嵌合構造２０を適用した一具体例を示している。図３に示す嵌合構造２０は、電化製品や電子機器（例えば、ＤＶＤレコーダなど）のフロントパネル５を示しており、円形状の孔Ｈを有するフロントパネル５に円形の部品２（例えば、操作ボタンなど）を嵌合可能としている。勿論、図３は一例であって、本実施の形態に係る嵌合構造２０は、電化製品や電子機器の他、あらゆる製品に適用できることは言うまでもない。
【００１６】
以上、述べたように、本実施の形態に係る嵌合構造２０によれば、円形状の孔Ｈを有する部材５と、部材５の孔に内接させて嵌合する円形状の部材２と、を備えており、部材５の孔Ｈの内周上に多点の位置決めリブ３を円周上に渡って略均等かつ孔Ｈの中心Ｏに対して非対称な位置に配置しているので、がたつきを減らして、同心とする位置決めの精度を向上させることができる。
【００１７】
また、本実施の形態に係る嵌合構造２０によれば、多点の位置決めリブ３によって、部材５は部材２に接するので、個々の位置決めリブ３の大きさを小さくすることができる。
【００１８】
以上、本発明の実施の形態について説明してきたが、本発明の要旨を逸脱しない範囲において、本発明の実施の形態に対して種々の変形や変更を施すことができる。例えば、上記の実施の形態の嵌合構造では、円形状の孔Ｈを備える部材側に位置決めリブを設けるようにしたが、本発明はこれに限定されず、円形状の部材側に位置決めリブを設けるようにしてもよい。
【００１９】
図４は、円形状の部材側に位置決めリブを設けた変形例を示している。すなわち、嵌合構造３０は、円形状の孔Ｈを備えた板状の部材６と、孔Ｈに内接して嵌合する、円形状の部材７と、を備えている。部材６は、上記実施の形態の部材５と異なって、孔Ｈの内周面に位置決めリブ３を形成していない。一方、部材７は、上記実施の形態の部材２と異なって、その外周面上に多点（少なくとも４以上）の位置決めリブ３を形成している。
【００２０】
このように本変形例では、部材６と部材７間に隙間が生じる構成であっても、多点の位置決めリブ３が部材７の外周上に多数配置されているので、特定の一方向に過度にずれることはない。従って、嵌合構造３０は、２部材間の嵌め合いガタを減らして、固定することができるとともに、２部材間の同心ずれを減らすことができる。
【００２１】
また、上記実施の形態と同様に、多数の位置決めリブ３は、部材７の中心に対してそれぞれ対称な位置には配置していないので、これによっても、２部材間の同心ずれを減らすことができる。
【００２２】
なお、本発明は円形状の孔を有する一の部材の当該孔に対して、円形状の他の部材を嵌め合う嵌合構造に適用できるものであるため、他の部材の外形が円形状であれば何であってもよく（中まで充填された部材２及び部材７に限定されない）、例えば、孔を有するリング状の部材であってもよい。
【図面の簡単な説明】
【００２３】
【図１】従来の嵌合構造の構成を示す平面図である。
【図２】本発明の実施の形態に係る嵌合構造の平面図である。
【図３】本発明の実施の形態に係る嵌合構造の一具体例の外観斜視図である。
【図４】本発明の実施の形態に係る嵌合構造の変形例の平面図である。
【符号の説明】
【００２４】
１，２，５，６，７  部材
３  位置決めリブ
１０，２０，３０  嵌合構造
Ｈ  孔
【図１】
2008095854.tif 000003
【図２】
2008095854.tif 000004
【図３】
2008095854.tif 000005
【図４】
2008095854.tif 000006